(57)【特許請求の範囲】
【請求項１】
本体（２０）の下面に空気を吸い込むための吸い込み開口（２１）が位置する天井設置の空気調和装置の室内機であって、
前記吸い込み開口（２１）付近に在って、メンテナンス時に第１位置まで降下するパネル（４）と、
前記パネル（４）を上昇方向および降下方向へ移動させる昇降手段（７）と、
を備え、
前記昇降手段（７）は、
前記吸い込み開口（２１）から空気を吸い込む動作を含む運転時に、前記パネル（４）を、前記吸い込み開口（２１）から離れた前記第１位置よりも天井に近い第２位置へ移動させ、
停止時に、前記パネル（４）を、前記吸い込み開口（２１）を閉じる第３位置へ移動させ、
前記パネル（４）は、前記第２位置にあるとき、天井面に対して傾斜している、
空気調和装置の室内機（２）。
【請求項２】
前記パネル（４）を前記本体（２０）に連結するパネル支持手段（８）をさらに備え、
前記パネル支持手段（８）は、前記パネル（４）が前記第３位置にあるとき、前記パネル（４）を前記本体（２０）に連結している、
請求項１に記載の空気調和装置の室内機（２）。
【請求項３】
前記パネル（４）を前記本体（２０）に連結するパネル支持手段（８）をさらに備え、
前記パネル支持手段（８）は、前記パネル（４）が前記第３位置と前記第２位置との間を移動するとき、前記パネル（４）を前記本体（２０）に連結している、
請求項１に記載の空気調和装置の室内機（２）。
【請求項４】
前記パネル（４）を前記本体（２０）に連結するパネル支持手段（８）をさらに備え、
前記パネル支持手段（８）は、前記パネル（４）が前記第２位置にあるとき、前記パネル（４）を前記本体（２０）に連結している、
請求項１に記載の空気調和装置の室内機（２）。
【請求項５】
前記昇降手段（７）は、前記パネル（４）を４点で吊り上げ、前記４点の降下量又は上昇量を変更することによって、前記パネル（４）を前記第１位置、前記第２位置および前記第３位置のいずれかへ移動させる、
請求項１から請求項４のいずれか１項に記載の空気調和装置の室内機（２）。
【請求項６】
本体（２０）の下面に空気を吸い込むための吸い込み開口（２１）が位置する天井設置の空気調和装置の室内機であって、
前記吸い込み開口（２１）付近に在って、メンテナンス時に第１位置まで移動するパネル（４）と、
前記パネル（４）を２点で吊り上げて、前記２点の降下量又は上昇量を変更することによって、前記パネル（４）を上昇方向および降下方向へ移動させる昇降手段（７）と、
前記パネル（４）の一端部を前記吸い込み開口（２１）付近に回転可能に支持し、必要に応じて前記端部の支持を解除するパネル支持手段（８）と、
を備え、
前記昇降手段（７）は、
前記吸い込み開口（２１）から空気を吸い込む動作を含む運転時に、前記パネル（４）を、前記吸い込み開口（２１）から離れた前記第１位置よりも天井に近い第２位置へ移動させ、
停止時に、前記パネル（４）を、前記吸い込み開口（２１）を閉じる第３位置へ移動させ、
前記パネル支持手段（８）は、
前記パネル（４）が前記第３位置と前記第２位置との間を移動するとき、前記パネル（４）の前記端部を支持し、
前記パネル（４）が前記第３位置から第１位置へ移動するとき、前記パネル（４）の前記端部の支持を解除する、
空気調和装置の室内機（２）。
【請求項７】
前記パネル支持手段（８）は、
前記パネル（４）の前記端部に設けられ前記パネル（４）の回転中心を成す第１回転支持部（４２）と、
前記第１回転支持部（４２）と嵌合して前記第１回転支持部（４２）を回転可能に支持する第２回転支持部（４３）と、
を有し、
前記第２回転支持部（４３）には、前記パネル（４）の回転中心軸方向の移動を規制する規制部（４３ａ）が設けられている、
請求項６に記載の空気調和装置の室内機（２）。
【請求項８】
前記吸い込み開口（２１）から吸い込まれる空気に含まれる塵埃を除去するフィルタ（６）と、
前記フィルタ（６）を前記パネル（４）又は前記本体（２０）のいずれか一方に支持させるフィルタ支持状態切替え手段（９）と、
をさらに備え、
前記フィルタ支持状態切替え手段（９）は、前記パネル（４）が前記第３位置から前記第２位置へ移動するとき、前記フィルタ（６）を前記本体（２０）に支持させる、
請求項７に記載の空気調和装置の室内機（２）。
【請求項９】
前記フィルタ支持状態切替え手段（９）は、
前記フィルタ（６）に摺動可能に保持されて押されたときに突出して前記本体（２０）の一部に支持されるスライド部材（６２）と
前記スライド部材（６２）を押すカム部材（６３）と、
を有している、
請求項８に記載の空気調和装置の室内機（２）。
【請求項１０】
前記パネル支持手段（８）は、前記第２回転支持部（４３）と前記第１回転支持部（４２）とを相対移動させる駆動部をさらに有し、
前記フィルタ支持状態切替え手段（９）は、前記カム部材（６３）と前記スライド部材（６２）とを相対移動させる駆動部をさらに有し、
前記パネル支持手段（８）の駆動部と、前記フィルタ支持状態切替え手段（９）の駆動部とが共通である、
請求項９に記載の空気調和装置の室内機（２）。
【発明の詳細な説明】
【技術分野】
【０００１】
本発明は、空気調和装置の室内機に関し、特に、下面に設けられた吸い込み開口をパネルで閉じる室内機に関する。
【背景技術】
【０００２】
従来、天井設置型の室内機として、化粧パネルの中央開口を昇降可能なセンターパネルで閉じる室内機が広く知られている（例えば、特許文献１参照）。その室内機では、センターパネルは紐で吊り上げられ、昇降装置がその紐を繰り出すことによってセンターパネルが降下し、紐を巻き取ることによってセンターパネルが上昇する。
【０００３】
センターパネルは、フィルタのメンテナンス時に降下し、運転時および停止時には上昇して中央開口を閉じる。つまり中央開口は、フィルタのメンテナンス時に全開するのみで、通常状態では両側の吸込口を残して常に閉じられている。
【特許文献１】特開平１０−１９６９９９号公報
【発明の開示】
【発明が解決しようとする課題】
【０００４】
上記のような室内機では、吸込口は常時開いた状態であり、その吸込口を通してフィルタや室内機内部が人目に触れるため、意匠性が著しく低下する。意匠性を向上させる目的で、運転停止時に吸込口を閉じることが検討されているが、吸込口の開閉機構が新たに必要となり、室内機が大型化する。
【０００５】
本発明の課題は、開閉可能な開口全域を吸込口として利用し、運転停止時にその開口を完全に閉じることができる意匠性に優れた空気調和装置の室内機を提供することにある。
【課題を解決するための手段】
【０００６】
第１発明に係る空気調和装置の室内機は、本体の下面に空気を吸い込むための吸い込み開口が位置する天井設置の空気調和装置の室内機であって、パネルと昇降手段とを備えている。パネルは、吸い込み開口付近に在って、メンテナンス時に第１位置まで降下する。昇降手段は、パネルを上昇方向および降下方向へ移動させる。そして、この昇降手段は、吸い込み開口から空気を吸い込む動作を含む運転時に、パネルを、吸い込み開口から離れた第１位置よりも天井に近い第２位置へ移動させ、停止時には、パネルを、吸い込み開口を閉じる第３位置へ移動させる。パネルは、第２位置にあるとき、天井面に対して傾斜している。
【０００７】
この室内機では、停止時は、吸い込み開口が完全に閉じられており、吸い込み開口を通して室内機の内部が人目に触れることがないので、意匠性が向上する。
【０００８】
第２発明に係る空気調和装置の室内機は、第１発明に係る空気調和装置の室内機であって、パネルを本体に連結するパネル支持手段をさらに備えている。パネル支持手段は、パネルが第３位置にあるとき、パネルを本体に連結している。
【０００９】
この室内機では、パネルが、本体に支持されるので、天井の振動によってパネルが不安定に揺れることが防止される。
【００１０】
第３発明に係る空気調和装置の室内機は、第１発明に係る空気調和装置の室内機であって、パネルを本体に連結するパネル支持手段をさらに備えている。パネル支持手段は、パネルが第３位置と第２位置との間を移動するとき、パネルを本体に連結している。
【００１１】
この室内機では、パネルが、本体に支持されるので、天井の振動や、吸い込み空気の風圧によってパネルが不安定に揺れることが防止される。
【００１２】
第４発明に係る空気調和装置の室内機は、第１発明に係る空気調和装置の室内機であって、パネルを本体に連結するパネル支持手段をさらに備えている。パネル支持手段は、パネルが前記第２位置にあるとき、パネルを本体に連結している。
【００１３】
この室内機では、パネルが、本体に支持されるので、天井の振動や、吸い込み空気の風圧によってパネルが不安定に揺れることが防止される。
【００１４】
第５発明に係る空気調和装置の室内機は、第１発明から第４発明のいずれか１つに係る空気調和装置の室内機であって、昇降手段が、パネルを４点で吊り上げ、その４点の降下量又は上昇量を変更することによって、パネルを第１位置、第２位置および第３位置のいずれかへ移動させる。
【００１５】
この室内機では、４点それぞれの移動量が個別に変更されることによって、パネル姿勢が変更される。例えば、メンテナンス時にユーザーが取り扱い易いようにパネルを傾けることが可能となるので、使い勝手がよい。
【００１６】
第６発明に係る空気調和装置の室内機は、本体の下面に空気を吸い込むための吸い込み開口が位置する天井設置の空気調和装置の室内機であって、パネルと昇降手段とパネル支持手段とを備えている。パネルは、吸い込み開口付近に在って、メンテナンス時に第１位置まで降下する。昇降手段は、パネルを２点で吊り上げて、その２点の降下量又は上昇量を変更することによって、パネルを上昇方向および降下方向へ移動させる。パネル支持手段は、パネルの一端部を吸い込み開口付近に回転可能に支持し、必要に応じて端部の支持を解除する。昇降手段は、吸い込み開口から空気を吸い込む動作を含む運転時に、パネルを、吸い込み開口から離れた第１位置よりも天井に近い第２位置へ移動させ、停止時には、パネルを、吸い込み開口を閉じる第３位置へ移動させる。パネル支持手段は、パネルが第３位置と第２位置との間を移動するとき、パネルの端部を支持し、パネルが第３位置から第１位置へ移動するとき、パネルの端部の支持を解除する。
【００１７】
この室内機では、パネルが、運転時の第２位置で一端を支持されるので、天井の振動や、吸い込み空気の風圧によってパネルが不安定に揺れることが防止される。また、停止時は、吸い込み開口が完全に閉じられており、吸い込み開口を通して室内機の内部が人目に触れることがないので、意匠性が向上する。
【００１８】
第７発明に係る空気調和装置の室内機は、第６発明に係る空気調和装置の室内機であって、パネル支持手段が、第１回転支持部と第２回転支持部とを有する。第１回転支持部は、パネルの端部に設けられパネルの回転中心を成す。第２回転支持部は、第１回転支持部と嵌合して第１回転支持部を回転可能に支持する。そして、第２回転支持部には、パネルの回転中心軸方向の移動を規制する規制部が設けられている。
【００１９】
この室内機では、天井の振動や、吸い込み空気の風圧などによるパネルの回転中心軸方向の揺れが防止される。
【００２０】
第８発明に係る空気調和装置の室内機は、第７発明に係る空気調和装置の室内機であって、フィルタとフィルタ支持状態切替え手段とをさらに備えている。フィルタは、吸い込み開口から吸い込まれる空気に含まれる塵埃を除去する。フィルタ支持状態切替え手段は、フィルタをパネル又は本体のいずれか一方に支持させる。そして、フィルタ支持状態切替え手段は、パネルが第３位置から第２位置へ移動するとき、フィルタを本体に支持させる。
【００２１】
この室内機では、メンテナンス時以外は、パネルとフィルタとが分離されているので、パネルが軽量となり、昇降手段に作用する鉛直方向の負荷が軽減され、機械的耐久性が向上する。
【００２２】
第９発明に係る空気調和装置の室内機は、第８発明に係る空気調和装置の室内機であって、フィルタ支持状態切替え手段が、スライド部材とカム部材とを有している。スライド部材は、フィルタに摺動可能に保持されて押されたときに突出して本体の一部に支持される。カム部材は、スライド部材を押す。
【００２３】
この室内機では、スライド部材が押されることによってフィルタが本体に支持されるので、フィルタを本体へ支持させる機構が簡素になり、フィルタ支持状態切替え手段の大型化、高コスト化が抑制される。
【００２４】
第１０発明に係る空気調和装置の室内機は、第９発明に係る空気調和装置の室内機であって、パネル支持手段は、第２回転支持部を第１回転支持部に向って移動させる駆動部をさらに有している。また、フィルタ支持状態切替え手段は、カム部材をスライド部材に向って移動させる駆動部をさらに有している。そして、パネル支持手段の駆動部と、フィルタ支持状態切替え手段の駆動部とが共通である。
【００２５】
この室内機では、駆動部が占有する空間が低減され、室内機の大型化が抑制される。
【発明の効果】
【００２６】
第１発明に係る空気調和装置の室内機では、停止時には、吸い込み開口が完全に閉じられており、吸い込み開口を通して室内機の内部が人目に触れることがなくなるので、意匠性が向上する。
【００２７】
第２発明から第４発明のいずれか１つに係る空気調和装置の室内機では、パネルが、本体に支持されるので、天井の振動や、吸い込み空気の風圧などによってパネルが不安定に揺れることが防止される。
【００２８】
第５発明に係る空気調和装置の室内機では、パネルの４点それぞれの移動量が個別に変更されることによって、パネル姿勢が変更されるので、例えばメンテナンス時にユーザーが取り扱い易いようにパネルを傾けることができ、使い勝手がよい。
【００２９】
第６発明に係る空気調和装置の室内機では、パネルが、運転時の第２位置で一端を支持されるので、天井の振動や、吸い込み空気の風圧によってパネルが不安定に揺れることが防止される。また、停止時は、吸い込み開口が完全に閉じられており、吸い込み開口を通して室内機の内部が人目に触れることがないので、意匠性が向上する。
【００３０】
第７発明に係る空気調和装置の室内機では、天井の振動や、吸い込み空気の風圧などによるパネルの回転中心軸方向の揺れが防止される。
【００３１】
第８発明に係る空気調和装置の室内機では、メンテナンス時以外は、パネルとフィルタとが分離されているので、パネルが軽量となり、昇降手段に作用する鉛直方向の負荷が軽減され、機械的耐久性が向上する。
【００３２】
第９発明に係る空気調和装置の室内機では、スライド部材が押されることによってフィルタが本体に支持されるので、フィルタを本体に支持させる機構が簡素になり、フィルタ支持状態切替え手段の大型化、高コスト化が抑制される。
【００３３】
第１０発明に係る空気調和装置の室内機では、駆動部が占有する空間が低減され、室内機の大型化が抑制される。
【発明を実施するための最良の形態】
【００３４】
以下図面を参照しながら、本発明の実施形態について説明する。なお、以下の実施形態は、本発明の具体例であって、本発明の技術的範囲を限定するものではない。
【００３５】
〔第１実施形態〕
＜室内機＞
図１（ａ）は、本発明の第１実施形態に係る室内機の運転停止時の斜視図であり、図１（ｂ）は、同室内機の運転時の斜視図である。図１（ａ），（ｂ）において、空気調和装置の室内機２は、下面に吸い込み開口２１及び吹出口２２を有する本体２０、吸い込み開口２１を開閉するフラットパネル４、及び吸い込み開口２１から吸込まれた空気に含まれる塵埃を除去するフィルタ６を備えている。吸い込み開口２１と吹出口２２とは隣接しており、吸い込み開口２１の面積は、吹出口２２よりも大きく、本体２０下面の相当範囲を占有している。
【００３６】
（フラットパネル４）
フラットパネル４は、吸い込み開口２１全域を閉じることができる大きさであり、本体２０側から延びる２本の紐７１で吊り上げられている。２本の紐７１は、フラットパネル４の長手方向の両端部を支持し、図１（ｂ）において手前側の端部を吊り上げる紐７１は、吹出口２２から離れた第１端部４ａ近傍に接続され、図１（ｂ）において奥側の端部を吊り上げる紐７１は、吹出口２２に近い第２端部４ｂ近傍に接続されている。
【００３７】
運転時、フラットパネル４は降下して吸い込み開口２１を開けるが、降下する量が第１端部４ａと第２端部４ｂとでは異なり、第１端部４ａが第２端部４ｂよりも大きく降下するので、フラットパネル４は天井面に対して傾斜するように回動して、吸い込み開口２１を開く。
【００３８】
（フィルタ６）
図２は、フィルタの斜視図である。図２において、フィルタエレメント６ｃは、周囲をフレーム６ａで保持されている。また、フレーム６ａの対向する長辺同士は、補強アーム６ｂで繋がっており、長辺の撓みが抑制されている。
【００３９】
フィルタエレメント６ｃは、ポリエチレンテレフタレート製の繊維（以後、ＰＥＴ繊維と呼ぶ）をプリーツ織りした網状部材であり、折り山の形状を保護するため、補強アーム６ｂは、フィルタエレメント６ｃの折り山に合わせた形状に成形されている。
【００４０】
フィルタエレメント６ｃの繊維を細くすることによって、フィルタ６の塵埃を除去する性能を低下させずに通風抵抗を下げることができるが、繊維の折り目を維持する強度が弱くなるので、上記の補強アーム６ｂが、折り山を維持する機能を兼ねている。また、繊維の折り目を維持する強度が高まるように、材質や径の異なる繊維を、ＰＥＴ繊維同士の間に入れて織り込んでもよい。
【００４１】
図３は、本発明の第１実施形態に係る室内機のメンテナンス時の斜視図である。図３において、フラットパネル４は、フィルタ６を載せた状態で降下および上昇することができ、ユーザーは、天井を見上げることなくフィルタ６を取り外して清掃することができる。
【００４２】
フラットパネル４を吊り上げる紐７１は、昇降ユニット７に接続されている。この昇降ユニット７が紐７１を繰り出すことによって、フラットパネル４が降下し、紐７１を巻き取ることによって、フラットパネル４が上昇する。
【００４３】
なお、便宜上、メンテナンス時に、ユーザーが台などに登ることなくフラットパネル４からフィルタ６を脱着することできる位置をメンテナンス位置と呼ぶ。また、運転時にフラットパネル４が吸い込み開口２１を開いた位置を開位置と呼び、運転停止時にフラットパネル４が吸い込み開口２１を閉じた位置を閉位置と呼ぶ。
【００４４】
（昇降ユニット７）
図４は、昇降ユニット内部の正面図である。図４において、昇降ユニット７は、紐７１以外に、滑車７２、巻取り歯車７３、駆動歯車７４、モータ７５およびスイッチ７６を備えている。
【００４５】
滑車７２は、滑車部７２ａとカム部７２ｂとが一体に成形されており、滑車部７２ａは、紐７１を支え、紐７１の移動に伴って回転する。カム部７２ｂは、小径曲面と大径曲面とそれら両曲面を結ぶ平面とから成る。
【００４６】
巻取り歯車７３は、紐７１を巻取るボビン７３ａと歯車部７３ｂとが一体に成形されている。駆動歯車７４は、巻取り歯車７３の歯車部７３ｂと噛み合い、ボビン７３ａを回転させる。
【００４７】
モータ７５は、ステッピングモータであり駆動歯車７４を回転させる。モータ７５の回転数は、制御部１０から供給されるパルス数によって制御される。なお、制御部１０は、ＣＰＵ、メモリ及びモータドライブ回路を搭載しており、昇降ユニット７から離れた他の位置に配置されている。モータ７５と制御部１０はワイヤハーネスによって電気的に接続されている。
【００４８】
スイッチ７６は、レバー７６ａを有するマイクロスイッチであり、レバー７６ａが押されることによってオンする。レバー７６ａは、常に滑車７２のカム部７２ｂと接触しており、カム部７２ｂの大径曲面と対峙したときに押される。スイッチ７６も、制御部１０とワイヤハーネスによって電気的に接続されている。
【００４９】
（昇降ユニット７の動作）
図４において、昇降ユニット７が紐７１を繰り出す場合、モータ７５は駆動歯車７４をＣＷ方向へ回転させる。これによって、巻取り歯車７３は、紐７１を繰り出す方向に回転する。一方、昇降ユニット７が紐７１を巻き取る場合、モータ７５は駆動歯車７４をＣＣＷ方向へ回転させる。これによって、巻取り歯車７３は、紐７１を巻き取る方向に回転する。紐の繰り出し量および巻き取り量は、モータ７５の回転量に比例しており、制御部１０が、モータ７５へ供給するパルス数を制御することによって、紐７１の繰り出し量および巻き取り量が制御される。
【００５０】
紐７１の先端にはフラットパネル４が連結されているため、紐７１には常に張力が発生しており、紐７１が繰り出されるとき、又は紐７１が巻き取られるとき、滑車部７２ａが紐７１との摩擦力によって回転する。このとき、カム部７２ｂも回転するので、スイッチ７６は、レバー７６ａがカム部７２ｂの大径曲面と対峙したときにオン信号を発し、小径曲面と対峙したときにはオフ信号を発する。滑車７２が回転している間は、オン信号とオフ信号が交互に発生し、これらの信号は、すべて制御部１０に入力される。
【００５１】
しかし、何らかの要因で紐７１が弛み張力がなくなった場合、例えば、メンテナンスのために紐７１を繰り出してフラットパネル４を降下させているときに、所定の繰り出し量に達する前に、フラットパネル４がテーブルなどの上に着地して停止した場合には、紐７１と滑車部７２ａとの摩擦力が減退し滑車７２が停止する。このため、スイッチ７６からは、オン信号又はオフ信号のいずれか一方が連続的に出力される。このとき、制御部１０では、モータ７５が回転しているときにスイッチ７６からの信号が一定になっていることから、フラットパネル４が何らかの障害物によって停止したと推定し、直ちにモータ７５を停止させる。
【００５２】
（パネル支持手段８とフィルタ支持状態切替え手段９）
図５は、図１（ａ）の室内機の内部を上方から視たときの部分斜視図である。図５において、フラットパネル４には、リブ４１と軸受４２とが設けられている。リブ４１には孔４１ａと溝４１ｂとが形成されており、孔４１ａには紐７１の先端が連結される。軸受４２は、長孔となるように成形されている。
【００５３】
フィルタ６のフレーム６ａは第２フレーム６１に固定され、第２フレーム６１はフラットパネル４に脱着可能に支持される。第２フレーム６１の端部には、矢印Ｂの方向に摺動可能なスライド部材６２が収納されている。スライド部材６２は傾斜部６２ａ、突起部６２ｂ及び係止部６２ｃを有している。図５では、スライド部材６２の突起部６２ｂが、リブ４１の溝４１ｂに嵌まり込んでいるので、フィルタ６はフラットパネル４に支持された状態である。
【００５４】
フラットパネル４の上方には、駆動ユニット５０、軸４３及び押しカム６３が設置されている。駆動ユニット５０は、軸４３及び押しカム６３を矢印Ａの方向へ移動させることができる。このとき、軸４３は軸受４２に差し込まれ、フラットパネル４が軸４３に回転可能に支持される。この一連の動作が連結動作であり、軸受４２、軸４３および駆動ユニット５０は、パネル支持手段８となる。
【００５５】
軸４３が軸受４２へ差し込まれると同時に、押しカム６３は、スライド部材６２の傾斜部６２ａを押しながら、第２フレーム６１に差し込まれる。このとき、突起部６２ｂが溝４１ｂから外れ、係止部６２ｃが本体２０に架かる。その結果、フラットパネル４に支持されていたフィルタ６が、本体２０に支持されるようになる。この一連の動作が切替え動作であり、スライド部材６２、押しカム６３及び駆動ユニット５０は、フィルタ支持状態切替え手段９となる。
【００５６】
（駆動ユニット５０）
図６は、駆動ユニットの内部を示す断面図である。図６において、駆動ユニット５０は、ケース５１、モータ５２、ピニオンギア５３、ラック５４及びクランクシャフト５５を備えている。ケース５１の内部は、第１区画５１１、第２区画５１２及び第３区画５１３の３つの区画に仕切られている。モータ５２はステッピングモータであり、回転数は制御部１０から供給されるパルス数によって制御される。モータ５２は、第１区画５１１に収納されているが、回転軸は第２区画５１２にある。
【００５７】
ピニオンギア５３とラック５４とは、互いに噛み合った状態で第２区画５１２に収納されている。ピニオンギア５３は、モータ５２の回転軸に連結されているので、モータ５２の回転によってピニオンギア５３が回転し、ラック５４が滑り移動する。
【００５８】
クランクシャフト５５は、１つの回転中心軸５５ａと、３つのクランク軸５５１，５５２，５５３を有している。回転中心軸５５ａは第３区画５１３に支持され、第１クランク軸５５１はラック５４に連結されている。さらに、第２クランク軸５５２は軸４３に連結され、第３クランク軸５１３は押しカム６３に連結されている。
【００５９】
（駆動ユニット５０の動作）
図６において、モータ５２がピニオンギア５３をＣ方向へ回転させると、ラック５４がＤ方向へ滑り移動する。このとき、ラック５４に連結されている第１クランク軸５５１もＤ方向に移動するので、クランクシャフト５５は、回転中心軸５５ａを中心にＥ方向へ回転する。その結果、第２クランク軸５５２が軸４３を矢印Ａの方向へ押し出し、第３クランク軸５５３が押しカム６３を矢印Ａの方向へ押し出す。
【００６０】
（スライド部材６２）
図７は、第２フレーム及びスライド部材の斜視図である。図７において、スライド部材６２は傾斜部６２ａ、突起部６２ｂ、係止部６２ｃ及び四角孔６２ｄを有している。四角孔６２ｄの一方の端部には、第２フレーム６１の停止板６１ａが入りこみ、さらにこの停止板６１ａと四角孔６２ｄの他方の端部との間にコイルスプリング６４が配置される。傾斜部６２ａが押しカム６３（図５参照）に押されて、スライド部材６２が矢印Ｂの方向に移動するときは、コイルスプリング６４を圧縮しながら移動するので、スライド部材６２は、矢印Ｂとは反対方向の抗力を受ける。
【００６１】
（スライド部材６２の動作）
図８は、図５の軸および押しカムを移動させた状態の斜視図である。図８において、押しカム６３が、スライド部材６２の傾斜部６２ａを押すことによって、スライド部材６２に矢印Ｂ方向の力が作用し移動する。この移動によって、突起部６２ｂが溝４１ｂから外れ、フラットパネル４のフィルタ６に対する支持が解除される。同時に、係止部６２ｃが突出して本体２０に架かるので、フィルタ６は本体２０に支持された状態となる。
【００６２】
（運転時のフラットパネル４の動作）
図９は、図８のフラットパネルを開いた状態の斜視図である。図９において、紐７１が繰り出されると、フラットパネル４は、自重によって降下する。軸受４２は、長孔に成形されているので、軸受４２に軸４３が差し込まれた状態であっても、軸受４２と軸４３との間には鉛直方向のクリアランスが存在する。その結果、フラットパネル４の第２端部４ｂは、軸受４２と軸４３との鉛直方向のクリアランス分だけ降下して停止する。その後は、フラットパネル４の第１端部４ａが、軸４３を中心に回転しながら所定距離だけ降下し、吸い込み開口２１を開状態にする。なお、軸４３には、フラットパネル４が軸方向へ移動することを規制するため、軸４３より大きい直径の円柱から成る規制部４３ａが形成されている。
【００６３】
一方、上記の開状態から、紐７１を巻き取ると、第１端部４ａは軸４３を中心に吸い込み開口２１を閉じる方向に回転し、第１端部４ａと第２端部４ｂとが同じ高さになったときに、フラットパネル４は、ほぼ水平となり、その後、第１端部４ａ及び第２端部４ｂは、共に、軸受４２と軸４３のクリアランス分だけ上昇し、吸い込み開口２１を閉じる。
【００６４】
フラットパネル４が軸４３を中心に回動して吸い込み開口２１を開ける動作は、室内機２が運転を開始するときであり、このとき、フィルタ６は、スライド部材６２の係止部６２ｃが本体２０に架かっているので、フラットパネル４の動作に追従しない。
【００６５】
（メンテナンス時のフラットパネル４の動作）
フィルタ６の清掃などのメンテナンスを行なうときは、図５の状態から紐７１を繰り出す。図５の状態は、突起部６２ｂが溝４１ｂに嵌まり込んでおり、フィルタ６がフラットパネル４に連結されている状態であり、フラットパネル４とフィルタ６とは一緒に降下することができる。また、軸受４２に軸４３が差し込まれていないので、フラットパネル４は、回動することなく、水平に降下することができる。
【００６６】
＜特徴＞
（１）
室内機２では、昇降ユニット７が、運転時にフラットパネル４を開位置へ移動させ、停止時にフラットパネル４を閉位置へ移動させるので、停止時には吸い込み開口２１が完全に閉じられ、吸い込み開口２１を通して室内機２の内部が人目に触れることはない。
【００６７】
（２）
室内機２では、昇降ユニット７がフラットパネル４を２点で吊り上げて移動させ、フラットパネル４が閉位置と開位置との間を移動するとき、フラットパネル４の軸受４２が軸４３で支持される。その結果、天井の振動、吸い込み空気の風圧によってフラットパネル４が不安定に揺れることが防止される。また、軸４３には、フラットパネル４が軸方向へ移動することを規制する規制部４３ａが設けられており、天井の振動や、吸い込み空気の風圧などによってフラットパネル４が軸方向へ揺れることを防止している。
【００６８】
（３）
室内機２では、フラットパネル４が閉位置から開位置へ移動するとき、押しカム６３がスライド部材６２を押して突出部６２ｃを突出させ、フィルタ６を本体２０に支持させる。即ち、メンテナンス時以外は、フラットパネル４とフィルタ６とが分離されているので、フラットパネル４が軽量となり、昇降ユニット７に作用する鉛直方向の負荷が軽減され、機械的耐久性が向上する。また、フィルタ６を本体２０に支持させる機構が簡素になり、大型化、高コスト化が抑制される。
【００６９】
（４）
室内機２では、１つの駆動ユニット５０が、軸４３を軸受４２に向って移動させ、押しカム６３をスライド部材６２に向って移動させる。その結果、駆動部が占有する空間が低減され、室内機の大型化が抑制される。
【００７０】
＜第１実施形態の第１変形例＞
ここでは、フラットパネル４の姿勢をより安定させる手段を説明する。図１０は、第１変形例に係る室内機の運転時の斜視図であり、図１１は、同室内機のメンテナンス時の斜視図である。なお、第１実施形態と同様の部品については、同様の符号を付与して説明を省略する。
【００７１】
図１０において、フラットパネル４には案内板４６が設けられている。室内機２が運転を停止し、フラットパネル４が閉位置にあるとき、案内板４６は本体２０内部に収納されている。案内板４６は、フラットパネル４の動作に追従し、本体２０の案内孔２６から出てくる。フラットパネル４が開位置にあるときは、案内孔２６が案内板４６を支持しているので、天井の揺れや、吸い込み開口２１から吸い込まれる空気の圧力によってフラットパネル４の姿勢が不安定になることはない。
【００７２】
案内板４６の鉛直方向の移動は拘束されていないので、メンテナンス時にフラットパネル４をメンテナンス位置まで降下させるときには、図１１に示すように、フラットパネル４と共に降下する。
【００７３】
＜第１実施形態の第２変形例＞
上記第１実施形態では、２本の紐７１でフラットパネル４を昇降させているが、４本の紐で昇降させてもよい。
【００７４】
図１２は、第２変形例に係る室内機の運転時の斜視図であり、図１３は、同室内機のメンテナンス時の斜視図である。図１２、図１３において、フラットパネル４は、４本の紐７１で吊られており、紐７１の繰り出し量を変更することによって、開位置、又はメンテナンス位置へ移動する。
【００７５】
フラットパネル４の位置変更時には、必ずフラットパネル４を閉位置へ移動させ、吸い込み開口２１を閉じて、フィルタ６の支持状態の切替え動作を行なう。例えば、フラットパネル４を開位置からメンテナンス位置へ移動させる場合は、吸い込み開口２１を閉じて、フィルタ６と本体２０との連結を解除し、フィルタ６をフラットパネル４へ連結した後にメンテナンス位置へ降下させる。
【００７６】
また、フラットパネル４をメンテナンス位置から開位置へ移動させる場合は、吸い込み開口２１を閉じて、フィルタ６とフラットパネル４との連結を解除し、フィルタ６を本体２０へ連結した後に開位置へ降下させる。フィルタ６の連結と解除は、上記実施形態と同様にスライド部材６２を押しカム６３で操作することによって行なわれるので、ここでは説明を省略する。
【００７７】
なお、フラットパネル４の姿勢は水平に限定されるものではなく、４本の紐７１内の２本の繰り出し量を異ならせて傾斜させてもよい。図１４は、第２変形例に係る他の室内機の運転時の斜視図であり、図１４において、フラットパネル４の第１端部４ａ側の紐７１を長く繰り出し、第２端部４ｂ側の紐７１を短く繰り出している。その結果、フラットパネル４は、第１端部４ａ側が大きく開いた状態となる。
【００７８】
また、フラットパネル４の姿勢変更が可能となるので、例えばメンテナンス時にユーザーが取り扱い易いようにフラットパネル４を傾けることができ、使い勝手がよい。
【００７９】
〔第２実施形態〕
上記第１実施形態では、フィルタ支持状態の切替え動作によって、フィルタ６をフラットパネル４及び本体２０のいずれか一方に支持させるようにしているが、これに限定されるものではない。第２実施形態では、フィルタ６がフラットパネル４に常時連結された状態で吸い込み開口２１を開閉することができる室内機を説明する。なお、第１実施形態と同様の部品については同様の符号を付与して、説明を省略する。
【００８０】
図１５は、本発明の第２実施形態に係る室内機のメンテナンス時の斜視図である。図１５において、フラットパネル４は、フィルタ６がスプリング１１によって連結され、フラットパネル４の４つのコーナーが紐７１で吊り上げられている。スプリング１１は、ねじりコイルスプリングであり、一端がフラットパネル４の端部近傍に固定されており、他端はフィルタ６の端部近傍に固定されている。
【００８１】
フラットパネル４が吸い込み開口２１を閉じているときは、フィルタ６は、本体２０の位置決め板２５から上方へ上昇することができないため、フラットパネル４が昇降ユニット７によって閉位置まで上昇すると、フラットパネル４は、スプリング１１を撓ませながらフィルタ６と重なり、吸い込み開口２１を閉じる。
【００８２】
フラットパネル４の第１端部４ａ側の紐７１を昇降ユニット７で繰り出すと、フラットパネル４の第１端部４ａが、吸い込み開口２１から離れる。このとき、スプリング１１の撓みが完全に解除されるまでは、フィルタ６が位置決め板２５側から離れることはできない。この状態で、室内機２は運転される。
【００８３】
＜第２実施形態の変形例＞
次に、第２実施形態をさらに簡素化した変形例について説明する。図１６（ａ）は第２実施形態の変形例に係る室内機の停止時の側面図、図１６（ｂ）は同室内機の運転時の側面図、図１６（ｃ）は同室内機のメンテナンス時の側面図である。
【００８４】
図１６（ａ）において、フィルタ６は、フラットパネル４に対して所定角度傾いた状態でフラットパネル４に固定されており、フラットパネル４が閉位置にあるときは、本体２０内部で傾いて静止している。
【００８５】
運転時、昇降ユニット７がフラットパネル４の第１端部４ａ側の紐７１を繰り出すことによって、フラットパネル４の第１端部４ａが開位置まで自重で降下し、第２端部４ｂを中心に回転し吸い込み開口２１を開ける。昇降ユニット７は、フィルタ６が水平となるまで紐７１を繰り出す。
【００８６】
そして、メンテナンス時は、昇降ユニット７が、フラットパネル４を閉位置へ移動させた後に、全ての紐７１を均等に繰り出すことによって、フラットパネル４は、図１６（ｃ）に示すようにメンテナンス位置まで水平に降下することができる。
【００８７】
〔その他〕
なお、フラットパネル４をメンテナンス位置まで移動させることは、メンテナンス時だけに限られたことではなく、本発明に係る室内機２のフラットパネル４をメンテナンス位置へ移動させるためのデモンストレーシヨンを行うときにも実施される。
【００８８】
同様に、フラットパネル４を開位置まで移動させることは、運転時だけに限られたことではなく、本発明に係る室内機２のフラットパネル４を開位置へ移動させるためのデモンストレーシヨンを行うときにも実施される。
【産業上の利用可能性】
【００８９】
以上のように、本発明によれば、運転停止時には、吸い込み開口が閉じられ、室内機内部が吸い込み開口を通して人目に触れることがないので、デザインを重視した居住空間に設置される室内機に有用である。
【図面の簡単な説明】
【００９０】
【図１】（ａ）本発明の第１実施形態に係る室内機の運転停止時の斜視図。（ｂ）同室内機の運転時の斜視図。
【図２】フィルタの斜視図。
【図３】本発明の第１実施形態に係る室内機のメンテナンス時の斜視図。
【図４】昇降ユニット内部の正面図。
【図５】図１（ａ）の室内機の内部を上方から視たときの部分斜視図。
【図６】駆動ユニットの内部を示す断面図。
【図７】第２フレーム及びスライド部材の斜視図。
【図８】図５の軸および押しカムを移動させた状態の斜視図。
【図９】図８のフラットパネルを開いた状態の斜視図。
【図１０】第１変形例に係る室内機の運転時の斜視図。
【図１１】第１変形例に係る室内機のメンテナンス時の斜視図。
【図１２】第２変形例に係る室内機の運転時の斜視図。
【図１３】第２変形例に係る室内機のメンテナンス時の斜視図。
【図１４】第２変形例に係る他の室内機の運転時の斜視図。
【図１５】本発明の第２実施形態に係る室内機のメンテナンス時の斜視図。
【図１６】（ａ）第２実施形態の変形例に係る室内機の停止時の側面図。（ｂ）同室内機の運転時の側面図。（ｃ）同室内機のメンテナンス時の側面図。
【符号の説明】
【００９１】
２  室内機
４  フラットパネル
６  フィルタ
７  昇降ユニット（昇降手段）
８  パネル支持手段
９  フィルタ支持状態切替え手段
２０  本体
２１  吸い込み開口
４２  軸受（第１回転支持部）
４３  軸（第２回転支持部）
４３ａ  規制部
５０  駆動ユニット
６２  スライド部材
６３  押しカム
【図１】
0004333805.tif 000002
【図２】
0004333805.tif 000003
【図３】
0004333805.tif 000004
【図４】
0004333805.tif 000005
【図５】
0004333805.tif 000006
【図６】
0004333805.tif 000007
【図７】
0004333805.tif 000008
【図８】
0004333805.tif 000009
【図９】
0004333805.tif 000010
【図１０】
0004333805.tif 000011
【図１１】
0004333805.tif 000012
【図１２】
0004333805.tif 000013
【図１３】
0004333805.tif 000014
【図１４】
0004333805.tif 000015
【図１５】
0004333805.tif 000016
【図１６】
0004333805.tif 000017